(57)【要約】【課題】支保工の高さ調整を容易とする型枠支持構造等を提供する。【解決手段】型枠支持構造は、アーチ橋のアーチ部材のコンクリートを打設する際の型枠を支保工３によって支持するものであり、橋軸方向に設けられた支持桁１と、支持桁１の上に、支持桁１の橋軸方向の全体に亘って設けられた支保工３と、支持桁１の下方に設けられ、支持桁１の橋軸方向の一部に鉛直方向上方の力を加える押上げ部２と、を有する。押上げ部２は、上端が支持桁１の下面に当接するコマ材２１と、コマ材２１から両側へと斜め上方に延び、支持桁１の橋軸方向の両端部で保持される斜材２２と、斜材２２に張力を加えるジャッキ２４と、を有する。【選択図】図２
2020186590.tif 000002
【特許請求の範囲】
【請求項１】
橋梁のコンクリートを打設する際の型枠を支保工によって支持する型枠支持構造であって、
橋軸方向に設けられた支持桁と、
前記支持桁の上に、前記支持桁の橋軸方向の全体に亘って設けられた支保工と、
前記支持桁の下方に設けられ、前記支持桁の橋軸方向の一部に鉛直方向上方の力を加える押上げ部と、
を有することを特徴とする型枠支持構造。
【請求項２】
前記押上げ部は、
上端が前記支持桁の下面に当接するコマ材と、
前記コマ材から両側へと斜め上方に延び、前記支持桁の橋軸方向の両端部で保持される斜材と、
前記斜材に張力を加えるジャッキと、
を有することを特徴とする請求項１記載の型枠支持構造。
【請求項３】
前記コマ材は橋軸方向に移動可能であることを特徴とする請求項２記載の型枠支持構造。
【請求項４】
前記斜材の両端部は、前記コマ材の下端と前記支持桁の橋軸方向の端部とに鉛直面内で回転可能に保持されることを特徴とする請求項３記載の型枠支持構造。
【請求項５】
橋梁のコンクリートを打設する際の型枠を請求項１から請求項４のいずれかに記載の型枠支持構造の支保工で支持した状態でコンクリートを打設し、
前記押上げ部により前記支持桁の橋軸方向の一部に鉛直方向上方の力を加えることで前記支保工の高さが調整されることを特徴とする橋梁の施工方法。
【発明の詳細な説明】
【技術分野】
【０００１】
本発明は、型枠支持構造およびこれを用いた橋梁の施工方法に関する。
【背景技術】
【０００２】
箱桁橋やアーチ橋といった大スパンの橋梁を施工する際は、橋軸方向の支持桁を設けてその上に総支保工を立ち上げ、当該総支保工で型枠を支持して橋梁のコンクリート打設時のコンクリート荷重を支える方法が主流である。
【０００３】
この場合、コンクリート荷重や支保工の自重によって支持桁にたわみが生じるので、通常は、支保工の支柱に個別に設けたジャッキにより支保工の高さを上げ越すことで出来形精度を確保する。
【先行技術文献】
【特許文献】
【０００４】
【特許文献１】特開平8-209631号公報
【発明の概要】
【発明が解決しようとする課題】
【０００５】
従来の方法では、支保工の支柱それぞれで高さ調整が必要であり、手間が掛かっていた。また施工中に支柱の上げ越しを行うと一部の支保工に荷重が集中し、支保工の部材応力が超過する恐れもある。またコンクリートを１ブロックずつ分割施工する場合、たわみ量の予測が難しく上げ越し量の設定が困難である。
【０００６】
本発明は上記の問題に鑑みてなされたものであり、支保工の高さ調整を容易とする型枠支持構造等を提供することを目的とする。
【課題を解決するための手段】
【０００７】
前述した課題を解決するための第１の発明は、橋梁のコンクリートを打設する際の型枠を支保工によって支持する型枠支持構造であって、橋軸方向に設けられた支持桁と、前記支持桁の上に、前記支持桁の橋軸方向の全体に亘って設けられた支保工と、前記支持桁の下方に設けられ、前記支持桁の橋軸方向の一部に鉛直方向上方の力を加える押上げ部と、を有することを特徴とする型枠支持構造である。
【０００８】
本発明では、押上げ部によって支持桁の橋軸方向の一部に鉛直方向上方への力を加えることで、施工中の支持桁のたわみを相殺し、支持桁上に設けた広範囲の支保工の高さを一括して調整できる。そのため、支保工の高さ調整が容易になり、一部の支保工で部材応力を超過することも無い。
【０００９】
前記押上げ部は、上端が前記支持桁の下面に当接するコマ材と、前記コマ材から両側へと斜め上方に延び、前記支持桁の橋軸方向の両端部で保持される斜材と、前記斜材に張力を加えるジャッキと、を有することが望ましい。
これにより、斜材の緊張によって支持桁に鉛直方向上方への力を容易に加えることができる。
【００１０】
前記コマ材は橋軸方向に移動可能であることが望ましい。
これにより、ブロックごとの分割施工を行う場合でも、施工の進捗に応じた支保工の高さ調整をコマ材の位置を移動させて容易に行うことができる。
【００１１】
前記斜材の両端部は、前記コマ材の下端と前記支持桁の橋軸方向の端部とに鉛直面内で回転可能に保持されることが望ましい。
これにより、コマ材を移動させた場合でも、コマ材の位置に応じて斜材の角度が変化し、コマ材を介して支持桁に鉛直方向上方への力を好適に加えることができる。
【００１２】
第２の発明は、橋梁のコンクリートを打設する際の型枠を第１の発明の型枠支持構造の支保工で支持した状態でコンクリートを打設し、前記押上げ部により前記支持桁の橋軸方向の一部に鉛直方向上方の力を加えることで前記支保工の高さが調整されることを特徴とする橋梁の施工方法である。
【発明の効果】
【００１３】
本発明により、支保工の高さ調整を容易とする型枠支持構造等を提供することができる。
【図面の簡単な説明】
【００１４】
【図１】型枠支持構造１０を示す図。
【図２】押上げ部２を示す図。
【図３】支持桁１を下から見た図。
【図４】斜材２２の端部を示す図。
【図５】アーチ部材１３０の施工について示す図。
【図６】斜材２２の張力ａとその合力ｂを示す図。
【図７】コマ材２１の移動について示す図。
【図８】コマ材２１’と斜材２２を示す図。
【発明を実施するための形態】
【００１５】
以下、図面に基づいて本発明の好適な実施形態について詳細に説明する。
【００１６】
（１．型枠支持構造１０）
図１は本発明の実施形態に係る型枠支持構造１０を示す図である。本実施形態の型枠支持構造１０は、アーチ橋１００のアーチ部材１３０を施工する際に用いられる。
【００１７】
図１のアーチ橋１００は、橋脚１１０間に補剛桁１２０を架け渡し、その下方にアーチ部材１３０（アーチリブともいう）を設けた橋梁（逆ランガー式アーチ橋）である。アーチ部材１３０は両橋脚１１０から橋脚１１０間の中央部に向かって双曲線状に延びるように設けられる。また補剛桁１２０を支持する鉛直材１４０が、アーチ部材１３０から上方に延びるように設けられる。
【００１８】
アーチ部材１３０は、型枠支持構造１０で支持された型枠（不図示）の上にコンクリートを打設することで構築される。型枠支持構造１０は、支持桁１、押上げ部２、支保工３等を有する。
【００１９】
支持桁１は支保工３を支持する橋軸方向の部材であり、鉛直面内においてトラス形状を有する。橋軸方向はアーチ橋１００が平面において延伸する方向をいい、図１の左右方向に対応する。支保工３は、支持桁１の橋軸方向の全体に亘って設けられる。
【００２０】
本実施形態の支保工３は総支保工であり、橋脚１１０間のスパン全体に亘って配置される。なお、本実施形態では橋脚１１０間のスパンが大きいので、橋脚１１０間に仮設の中間支持台２００を複数（図の例では２台）設け、橋脚１１０と中間支持台２００の間、および中間支持台２００の間に支持桁１を架け渡し、橋脚１１０または中間支持台２００を支持部として両端が支持された各支持桁１の上に支保工３を立ち上げている。
【００２１】
押上げ部２は、アーチ部材１３０の施工中に支持桁１のたわみが生じた場合に、そのたわみを相殺し、支保工３の高さを計画高さに合わせて調整するものである。
【００２２】
図２は押上げ部２を示す図である。押上げ部２は、支持桁１の下方に設けられ、コマ材２１、斜材２２、保持部２３、ジャッキ２４、移動部２５等を有する。
【００２３】
コマ材２１は、支持桁１の橋軸方向の一部に鉛直方向上方の力を加えるものである。コマ材２１の上端は、支持桁１の下面に当接する。
【００２４】
斜材２２は、コマ材２１からその両側へと斜め上方に延びるように設けられる。各斜材２２の一方の端部はコマ材２１の下端で保持され、他方の端部は保持部２３で保持される。斜材２２としてはPC鋼材が用いられるが、これに限ることはない。
【００２５】
保持部２３は支持桁１の橋軸方向の両端部で支持桁１の下面に設けられる。保持部２３にはジャッキ２４が設けられる。
【００２６】
図３は支持桁１を下から見たものである。支持桁１は橋軸直角方向に複数設けられ、これらの支持桁１によって支保工３が支持される。橋軸直角方向は橋軸方向と平面において直角をなす方向をいい、図３の左右方向に対応する。
【００２７】
図３に示すように、コマ材２１や保持部２３としては橋軸直角方向に延びる梁材が用いられており、複数の支持桁１のそれぞれに設けられた押上げ部２の斜材２２はこのコマ材２１や保持部２３に保持される。ただしこれに限ることはなく、支持桁１ごとに独立したコマ材２１や保持部２３を設けることも可能である。
【００２８】
図２に示すように、ジャッキ２４によって押上げ部２の各斜材２２に張力ａを加えると、各斜材２２の張力ａの合力ｂがコマ材２１を介して支持桁１へと鉛直方向上方に作用する。本実施形態ではこれにより支持桁１にたわみが生じた場合にそのたわみを相殺して広範囲の支保工３の高さを調整する。
【００２９】
移動部２５は、コマ材２１を支持桁１の下面に沿って橋軸方向に移動可能とするためのものである。移動部２５は、例えば支持桁１の下面に沿って橋軸方向の鋼棒を設け、当該鋼棒をコマ材２１の上端の両側に設けたジャッキに通し、当該ジャッキの伸縮により尺取り式にコマ材２１を移動させるものを用いることができる。ただし移動部２５はコマ材２１を橋軸方向に移動させることができればよく、これに限定されない。
【００３０】
斜材２２の両端部はコマ材２１の下端と保持部２３とにそれぞれ鉛直面内で回転可能に保持される。その方法は特に限定されないが、保持部２３については、例えば図４（ａ）に示すように保持部２３に球面状の凹部２３１を設け、この凹部２３１にジャッキ２４の後端部に設けた球面部を配置し、斜材２２の端部をこのジャッキ２４に通してジャッキ２４に取付ける。またコマ材２１についても、例えば図４（ｂ）に示すように、斜材２２の端部を固定する固定部２２１を球面部を有するものとし、この球面部をコマ材２１に設けた球面状の凹部２１１に配置する。
【００３１】
（２．アーチ部材１３０の施工方法）
アーチ橋１００のアーチ部材１３０は、図５（ａ）〜（ｃ）に示すように、橋脚１１０から橋脚１１０間の中央部に向かって１ブロックずつ分割施工する。この際、各ブロックのコンクリートを打設するための型枠（不図示）を支保工３によって支持する。
【００３２】
支持桁１には型枠上に打設するコンクリートの荷重や支保工３の自重によってたわみが生じ、本実施形態ではこのたわみが事前に定める規定値の範囲外となった場合に、図６に示すように斜材２２に張力ａを与え、その合力ｂをコマ材２１を介して支持桁１に加える。これにより支持桁１のたわみを相殺し、支保工３の高さを計画高さに合わせて調整する。
【００３３】
張力ａは、鉛直方向上方の合力ｂが加わるようにジャッキ２４によって調整する。コマ材２１が支持桁１の中央部以外の位置にあるときには、各ジャッキ２４により斜材２２に加える張力ａは互いに異なる。
【００３４】
これにより、本実施形態では支持桁１上の広範囲の支保工３の高さを一括して調整しアーチ部材１３０の出来形精度を確保でき、アーチ部材１３０の施工中の支保工３の高さ調整が容易になる。このような押上げ部２による支保工３の高さ調整は、支保工３の支柱ごとの上げ越しと併用でき、支柱ごとの上げ越しでは不十分な場合や施工中に支柱ごとの上げ越しを行うと一部の支保工３に荷重が集中し部材応力が超過する恐れのある場合に実施することが可能である。
【００３５】
アーチ部材１３０の施工を進めてゆくと、支持桁１のたわみが大きくなる位置も変わる。例えば図５の例では橋脚１１０間の中央部に向かってアーチ部材１３０の施工を進めてゆくと、当該中央部側のたわみが大きくなる。この際、本実施形態では図７の矢印に示すようにコマ材２１の位置を橋軸方向に移動させてコマ材２１を適切な位置に配置し、斜材２２に適切な張力を加えて支持桁１に鉛直方向上方の力を加える。
【００３６】
なおコマ材２１の移動中にも鉛直方向上方の適切な合力ｂが継続的に加わるように、斜材２２の張力ａを調整しつつコマ材２１の移動を行うことが望ましい。またこの際にコマ材２１がスムーズに移動できるよう、コマ材２１の支持桁１との接触面に摺動材や車輪を設けることも可能である。
【００３７】
このように、本実施形態ではコマ材２１の位置を変えることで支持桁１に力を加える位置も制御可能であり、図５のようにブロックごとの分割施工を行う場合でもアーチ部材１３０の出来形精度を容易に確保することができる。
【００３８】
以上説明したように、本実施形態では押上げ部２によって支持桁１の橋軸方向の一部に鉛直方向上方への力を加えることで、アーチ部材１３０の施工中の支持桁１のたわみを相殺し、支持桁１の上に設けた広範囲の支保工３の高さを一括して調整できる。そのため、支保工３の高さ調整が容易になり、一部の支保工３で部材応力が超過することも無い。
【００３９】
また本実施形態の押上げ部２は前記したコマ材２１と斜材２２、ジャッキ２４等を有しており、斜材２２の緊張によって支持桁１に鉛直方向上方への力を容易に加えることができる。
【００４０】
またコマ材２１は橋軸方向に移動可能なので、ブロックごとの分割施工を行う場合でも、施工の進捗に応じた支保工３の高さ調整をコマ材２１の位置を移動させて容易に行うことができる。
【００４１】
また斜材２２の両端部は、コマ材２１の下端と保持部２３とに鉛直面内で回転可能に保持されるので、図７のようにコマ材２１を移動させた場合でも、コマ材２１の位置に応じて斜材２２の角度が変化し、コマ材２１を介して支持桁１に鉛直方向上方への力を好適に加えることができる。
【００４２】
しかしながら、本発明はこれに限らない。例えば押上げ部２は支持桁１に鉛直方向上方の力を加えることができればよく、前記した構成に限定されることはない。例えば図２の例ではコマ材２１から両側へと２本の斜材２２を延ばしているが、図８に示すように、１本の斜材２２の中央部をコマ材２１’の下端の円弧面に掛けてその両端部がコマ材２１から両側に延びるようにしてもよい。また支持桁１の構成も特に限定されることはない。
【００４３】
また本実施形態ではアーチ橋１００のアーチ部材１３０の施工時の型枠を支持する型枠支持構造１０の例を説明したが、型枠支持構造１０の適用対象はこれに限ることは無く、例えばアーチ橋の補剛桁や箱桁橋の主桁など、各種の橋梁上部構造の施工時に適用することが可能である。また型枠支持構造１０は本実施形態のように分割施工を行う場合以外でも適用可能である。
【００４４】
また本実施形態では橋脚１１０間に中間支持台２００を設けているが、橋脚１１０間のスパンが小さい場合には中間支持台２００を省略することも可能である。
【００４５】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００４６】
１：支持桁
２：押上げ部
３：支保工
１０：型枠支持構造
２１：コマ材
２２：斜材
２３：保持部
２４：ジャッキ
２５：移動部
１００：アーチ橋
１１０：橋脚
１２０：補剛桁
１３０：アーチ部材
１４０：鉛直材
２００：中間支持台
２１１、２３１：凹部
２２１：固定部
【図１】
2020186590.tif 000003
【図２】
2020186590.tif 000004
【図３】
2020186590.tif 000005
【図４】
2020186590.tif 000006
【図５】
2020186590.tif 000007
【図６】
2020186590.tif 000008
【図７】
2020186590.tif 000009
【図８】
2020186590.tif 000010